(57)【特許請求の範囲】
【請求項１】
複数の無線局からなり、これら複数の無線局間で電波を媒体とする無線信号を送受信する無線通信システムであって、
各無線局は、無線信号を送信する送信手段と、無線信号を受信する受信手段と、所定のイベントが発生したときに前記送信手段を起動し、所定の送信期間に前記イベントに対応したメッセージを含む無線信号を送信させるとともに所定の休止期間に無線信号の送信を休止させる動作を交互に繰り返し且つ前記イベントが発生していないときには前記送信手段を停止させる送信制御手段と、一定の間欠受信間隔を繰り返しカウントするタイマ手段と、当該タイマ手段による間欠受信間隔のカウント中は前記受信手段を停止させ、前記タイマ手段による間欠受信間隔のカウントが完了する度に前記受信手段を起動する受信制御手段と、電池を電源として各手段の動作電源を供給する給電手段とを備え、
前記受信制御手段は、前記受信手段で同期信号を受信した場合に前記タイマ手段による間欠受信間隔のカウントを中止させるとともに、当該同期信号の終了時点から一定の待機時間が経過した時点で前記タイマ手段による間欠受信間隔のカウントを再開させ、
前記送信制御手段は、前記イベントが発生した場合、前記タイマ手段による間欠受信間隔のカウントが完了する時点と重なる前記送信期間に前記送信手段から無線信号を送信させ、
前記複数の無線局のうちの少なくとも１つの無線局の前記送信制御手段は、前記メッセージを含む無線信号を受信した場合に当該メッセージを含む無線信号を前記送信期間に前記送信手段から他の無線局へ中継してなり、
当該中継を行う無線局の前記受信制御手段は、他の中継を行わない無線局の前記受信制御手段における前記待機時間と異なる待機時間を有することを特徴とする無線通信システム。
【請求項２】
前記中継を行わない無線局の前記送信制御手段は、他の中継を行わない無線局において前記間欠受信間隔のカウントが完了する時点と、前記中継を行う無線局において前記間欠受信間隔のカウントが完了する時点とのうちで早い方の時点に前記無線信号を前記送信手段から送信させることを特徴とする請求項１記載の無線通信システム。
【請求項３】
前記中継を行う無線局の前記送信制御手段は、前記メッセージを含む無線信号を受信した場合に当該メッセージを含む無線信号を、他の中継を行わない無線局において前記間欠受信間隔のカウントが完了する時点に前記送信手段から送信させることを特徴とする請求項２記載の無線通信システム。
【請求項４】
前記中継を行う無線局における前記待機時間と前記中継を行わない無線局における前記待機時間との時間差は、前記送信期間と前記休止期間の合計期間よりも短くない時間であることを特徴とする請求項１〜３の何れか１項に記載の無線通信システム。
【請求項５】
複数の前記無線局のうちの何れか１つの無線局の前記送信制御手段は、前記同期信号を前記送信手段から送信させることを特徴とする請求項１〜４の何れか１項に記載の無線通信システム。
【請求項６】
各無線局の前記送信制御手段は、前記同期信号を受信したときに応答メッセージを含む無線信号を前記送信手段から送信させ、前記同期信号を送信する無線局は、前記受信手段で前記応答メッセージを含む無線信号を受信するか否かによって他の無線局が正常に動作しているか否かを判断する判断手段を備えたことを特徴とする請求項５記載の無線通信システム。
【請求項７】
前記同期信号を送信する送信局を有することを特徴とする請求項１〜４の何れか１項に記載の無線通信システム。
【請求項８】
前記無線局は、火災を感知する火災感知手段と、火災感知手段で火災が感知されたときに警報音を鳴動する火災警報手段とを備え、
送信制御手段は、火災感知手段で火災が感知されたときに火災警報メッセージを含む無線信号を送信手段より送信させ、
受信制御手段は、受信手段で受信した無線信号に火災警報メッセージが含まれている場合に火災警報手段に警報音を鳴動させることを特徴とする請求項１〜７の何れか１項に記載の無線通信システム。
【発明の詳細な説明】
【技術分野】
【０００１】
本発明は、複数の無線局からなる無線通信システムに関し、特に各無線局が電池を電源として動作する無線通信システムに関する。
【背景技術】
【０００２】
我が国で使用する無線局については、占有周波数帯幅や隣接チャンネル漏洩電力などの使用電波の特性(RF特性)が電波法の規定を満たしていなくてはならない。また、電波法では使用目的ごとに異なる規格(通信規格)が規定されている。例えば、電波法第４条ただし書きにおいて免許を要しない無線局の一つとして規定される「小電力無線局」には、「コードレス電話の無線局」、「特定小電力無線局」、「小電力セキュリティシステム」、「小電力データ通信システムの無線局」などがあり、それぞれの無線局の無線設備について同法施行規則の設備規則によって規格が規定されている。
【０００３】
従来、電池を電源として動作する複数の無線局からなる無線通信システムとして特許文献１に記載されているものがある。特許文献１に記載されている従来システムでは、各無線局が間欠的に受信回路を起動して所望の電波(他の無線局が送信した無線信号)を受信できるか否かをチェックし、当該電波が捉えられなければ直ちに受信回路を停止して待機状態に移行することで平均消費電力を大幅に低減している。
【０００４】
しかしながら、上述のように間欠受信動作を行うと、本来受信しなければならない無線信号を受信するタイミングが受信回路の間欠受信間隔の分だけ遅延することになる。したがって、消費電力の低減を目的として単純に間欠受信間隔を伸ばすことはできない。また、全ての無線局が相互に無線通信可能な場所に設置されるとは限らない。
【０００５】
これに対して本出願人は、複数の無線局の中から特定の無線局を中継局に設定し、何れかの無線局から送信された無線信号を当該特定の無線局(中継局)が他の無線局へ中継するとともに、同期信号を受信することによって各無線局の受信回路が起動するタイミングを揃え、イベントが発生した無線局が、他の無線局で受信回路を起動するタイミングに合わせて無線信号を送信することにより、一の無線局から送信される無線信号を他の全ての無線局で受信できる無線通信システムを提案している。この無線通信システムにおいては、間欠受信を行うことで消費電力を低減して電池の寿命を延ばしつつ何れかの無線局が送信した無線信号を他の無線局が受信できるまでの遅延時間を短くすることができる。
【先行技術文献】
【特許文献】
【０００６】
【特許文献１】特開２００８−１７６５１５号公報
【発明の概要】
【発明が解決しようとする課題】
【０００７】
しかしながら、本出願人が提案した上記従来例においては、何れかの無線局が、イベントが発生した無線局から送信された無線信号を受信できずに中継局で中継された無線信号を受信した場合、イベントの発生から全ての無線局が無線信号を受信できるまでの遅延時間が最大で間欠受信間隔の２倍になってしまう。
【０００８】
本発明は、上記課題に鑑みて為されたものであり、イベントの発生から全ての無線局が無線信号を受信できるまでの遅延時間を従来よりも短くすることを目的とする。
【課題を解決するための手段】
【０００９】
本発明の無線通信システムは、複数の無線局からなり、これら複数の無線局間で電波を媒体とする無線信号を送受信する無線通信システムであって、各無線局は、無線信号を送信する送信手段と、無線信号を受信する受信手段と、所定のイベントが発生したときに前記送信手段を起動し、所定の送信期間に前記イベントに対応したメッセージを含む無線信号を送信させるとともに所定の休止期間に無線信号の送信を休止させる動作を交互に繰り返し且つ前記イベントが発生していないときには前記送信手段を停止させる送信制御手段と、一定の間欠受信間隔を繰り返しカウントするタイマ手段と、当該タイマ手段による間欠受信間隔のカウント中は前記受信手段を停止させ、前記タイマ手段による間欠受信間隔のカウントが完了する度に前記受信手段を起動する受信制御手段と、電池を電源として各手段の動作電源を供給する給電手段とを備え、前記受信制御手段は、前記受信手段で同期信号を受信した場合に前記タイマ手段による間欠受信間隔のカウントを中止させるとともに、当該同期信号の終了時点から一定の待機時間が経過した時点で前記タイマ手段による間欠受信間隔のカウントを再開させ、前記送信制御手段は、前記イベントが発生した場合、前記タイマ手段による間欠受信間隔のカウントが完了する時点と重なる前記送信期間に前記送信手段から無線信号を送信させ、前記複数の無線局のうちの少なくとも１つの無線局の前記送信制御手段は、前記メッセージを含む無線信号を受信した場合に当該メッセージを含む無線信号を前記送信期間に前記送信手段から他の無線局へ中継してなり、当該中継を行う無線局の前記受信制御手段は、他の中継を行わない無線局の前記受信制御手段における前記待機時間と異なる待機時間を有することを特徴とする。
【００１０】
この無線通信システムにおいて、前記中継を行わない無線局の前記送信制御手段は、他の中継を行わない無線局において前記間欠受信間隔のカウントが完了する時点と、前記中継を行う無線局において前記間欠受信間隔のカウントが完了する時点とのうちで早い方の時点に前記無線信号を前記送信手段から送信させることが好ましい。
【００１１】
この無線通信システムにおいて、前記中継を行う無線局の前記送信制御手段は、前記メッセージを含む無線信号を受信した場合に当該メッセージを含む無線信号を、他の中継を行わない無線局において前記間欠受信間隔のカウントが完了する時点に前記送信手段から送信させることが好ましい。
【００１２】
この無線通信システムにおいて、前記中継を行う無線局における前記待機時間と前記中継を行わない無線局における前記待機時間との時間差は、前記送信期間と前記休止期間の合計期間よりも短くない時間であることが好ましい。
【００１３】
この無線通信システムにおいて、複数の前記無線局のうちの何れか１つの無線局の前記送信制御手段は、前記同期信号を前記送信手段から送信させることが好ましい。
【００１５】
この無線通信システムにおいて、各無線局の前記送信制御手段は、前記同期信号を受信したときに応答メッセージを含む無線信号を前記送信手段から送信させ、前記同期信号を送信する無線局は、前記受信手段で前記応答メッセージを含む無線信号を受信するか否かによって他の無線局が正常に動作しているか否かを判断する判断手段を備えることが好ましい。
【００１７】
この無線通信システムにおいて、前記同期信号を送信する送信局を有することが好ましい。
【００１８】
この無線通信システムにおいて、前記無線局は、火災を感知する火災感知手段と、火災感知手段で火災が感知されたときに警報音を鳴動する火災警報手段とを備え、送信制御手段は、火災感知手段で火災が感知されたときに火災警報メッセージを含む無線信号を送信手段より送信させ、受信制御手段は、受信手段で受信した無線信号に火災警報メッセージが含まれている場合に火災警報手段に警報音を鳴動させることが好ましい。
【発明の効果】
【００１９】
本発明の無線通信システムは、イベントの発生から全ての無線局が無線信号を受信できるまでの遅延時間を従来よりも短くすることができるという効果がある。
【図面の簡単な説明】
【００２０】
【図１】本発明の実施形態における火災警報器（無線局）のブロック図である。
【図２】同上における無線信号のフレームフォーマットである。
【図３】同上の待機状態から火災連動状態へ遷移する動作を説明するためのフローチャートである。
【図４】同上の連動鳴動状態から連動停止状態へ遷移する動作を説明するためのタイムチャートである。
【図５】同上の連動鳴動状態から連動停止状態へ遷移する動作を説明するためのタイムチャートである。
【図６】同上の火災連動状態から待機状態へ遷移する動作を説明するためのタイムチャートである。
【図７】同上の火災連動状態における動作を説明するためのタイムチャートである。
【図８】(ａ),(ｂ)は同上の待機状態から火災連動状態へ遷移する動作を説明するためのタイムチャートである。
【図９】同上における間欠受信間隔の説明図である。
【発明を実施するための形態】
【００２１】
以下、火災を感知して警報音を鳴動するとともに電波を媒体とし且つ火災感知メッセージを含む無線信号を送信する火災警報器を無線局とした無線通信システム(火災警報システム)に本発明の技術思想を適用した実施形態について説明する。
【００２２】
図１は本実施形態のシステム構成図であり、複数台(図示は３台のみ)の火災警報器TRで火災警報システムが構成されている。なお、以下の説明では、火災警報器TRを個別に示す場合は火災警報器TR1,TR2,…,TRnと表記し、総括して示す場合は火災警報器TRと表記する。
【００２３】
火災警報器TRは、アンテナ３から電波を媒体とした無線信号を送信するとともに他の火災警報器TRが送信した無線信号をアンテナ３で受信する無線送受信部２と、音(ブザー音や音声メッセージなど)による火災警報(以下、「警報音」と呼ぶ。)を報知(スピーカから鳴動)する警報部５と、マイコンや書換可能な不揮発性の半導体メモリなどからなるメモリ部1aを主構成要素とし火災感知部４で火災を感知したときに警報部５に警報音を鳴動させるとともに他の火災警報器TRに対して火災警報を報知させるための火災警報メッセージを含む無線信号を無線送受信部２より送信させる制御部１と、後述するように警報音の鳴動を停止するための操作入力などを受け付ける操作入力受付部６と、乾電池等の電池を電源として各部に動作電源を供給する電池電源部７とを具備している。操作入力受付部６は１乃至複数のスイッチ(例えば、押釦スイッチ)を有しており、スイッチが操作されることで各スイッチに対応した操作入力を受け付けるとともに当該操作入力に対応した操作信号を制御部１に出力する。なお、各火災警報器TRi(i=1,2,…,n)には固有の識別符号が割り当てられてメモリ部1aに格納されており、当該識別符号によって無線信号の宛先並びに送信元の火災警報器TRiが特定できる。
【００２４】
無線送受信部２は、電波法施行規則第６条第４項第３号に規定される「小電力セキュリティシステムの無線局」に準拠して電波を媒体とする無線信号を送受信するものである。また火災感知部４は、例えば、火災に伴って発生する煙や熱、炎などを検出することで火災を感知するものである。但し、無線送受信部２並びに火災感知部４の詳細な構成については、従来周知であるから詳細な説明は省略する。
【００２５】
制御部１は、図示しないメモリ(ROMあるいはEEPROMなど)に格納されたプログラムをマイコンで実行することによって後述する各種の機能を実現している。火災感知部４で火災の発生が感知されると、制御部１は警報部５が備えるブザーを駆動して警報音を鳴動させたり、あるいは予めメモリ(あるいはメモリ部1a)に格納されている警報用の音声メッセージ(例えば、「火事です」など)をスピーカに鳴動させることで火災警報を報知するとともに、他の火災警報器TRにおいても火災警報を報知させるため、火災警報メッセージを含む無線信号を無線送受信部２より送信させる。また、他の火災警報器TRから送信された無線信号を無線送受信部２で受信することにより火災警報メッセージを受け取ったときも、制御部１が警報部５を制御して警報音を鳴動させる。つまり、制御部１では火災感知部４が火災を感知したときに警報部５から警報音を鳴動させて火災警報を報知するとともに火災警報メッセージを含む無線信号を無線送受信部２より送信させる機能を有している。
【００２６】
ここで、電波法施行規則の無線設備規則第４９条の１７「小電力セキュリティシステムの無線局の無線設備」では、無線信号を連続して送信してもよい期間(送信期間)が３秒以下、送信期間と送信期間の間に設けられた、無線信号を送信してはいけない期間(休止期間)が２秒以上とすることが規定されている(同条第５号参照)。このために本実施形態における制御部１では、上記無線設備規則に適合する送信期間に無線信号を送信させるとともに休止期間に送信を停止し且つ受信可能な状態としている。
【００２７】
また電池電源部７の電池寿命をできるだけ長くするため、制御部１ではマイコンに内蔵するタイマ(タイマ手段)で所定の間欠受信間隔(但し、間欠受信間隔は前記送信期間よりも長い時間とする)を繰り返しカウントするとともに間欠受信間隔のカウントが完了する毎に無線送受信部２を起動して所望の電波(他の火災警報器TRが送信した無線信号)が受信できるか否かをチェックし、当該電波が捉えられなければ直ちに無線送受信部２を停止して待機状態に移行させることで平均消費電力を大幅に低減している。なお、電波の受信チェックは、無線送受信部２から出力される、受信信号強度の大小に比例した直流電圧信号である受信信号強度表示信号(Receiving Signal Strength Indication:RSSI信号)に基づいて制御部１が行っており、詳細については従来周知であるから省略する。
【００２８】
さらに特定の火災警報器TR1(以下、親局と呼ぶ。)の制御部１では、定期的(例えば、２４時間毎)に無線送受信部２を起動して他の火災警報器TR2,TR3,…(以下、子局と呼ぶ。)が正常に動作しているか否かの確認(定期監視)を行うために定期監視メッセージを含む無線信号を送信させる。子局TRj(j=2,3,…,n)においては、制御部１が火災感知部４の故障の有無及び電池電源部７の電池切れの有無を一定周期で(例えば、１時間毎に)監視するとともに、その監視結果(故障の有無及び電池切れの有無)をメモリ部1aに記憶しており、親局TR1から定期監視メッセージを受け取ったときに、メモリ部1aに記憶している監視結果を通知するための通知メッセージを含む無線信号を親局TR1に返信する。親局TR1の制御部１は、通知メッセージを含む無線信号を送信した後、無線送受信部２を受信状態に切り換えて各子局TRjから送信される無線信号を受信し、定期監視メッセージを含む無線信号を送信してから所定時間内に通知メッセージを含む無線信号を送信してこない子局TRjがあったり、あるいは、何れかの子局TRjが送信してきた通知メッセージが故障有り若しくは電池切れ有りの監視結果を通知するものである場合に、警報部５が備えるブザーを駆動して報知音を鳴動させるなどして子局TRjに異常(通信不可や故障有り、電池切れなど)が発生したことを知らせる機能も有している。なお、親局TR1及び子局TRjの制御部１は、故障若しくは電池切れが生じていると判断した場合、直ちに警報部５から異常(故障若しくは電池切れ)の発生を知らせるための警告音(ブザー音や音声メッセージなど)を警報部５のスピーカから鳴動させるようになっている。
【００２９】
また親局TR1の制御部１は、火災感知部４が火災を感知して警報部５から警報音を鳴動させるとともに各子局TRjに火災警報メッセージを送信した後、若しくは何れかの子局TRjから火災警報メッセージを受信した後においては、無線送信部２に一定周期で同期ビーコンを送信させる。この同期ビーコンは、複数の火災警報器TR同士でＴＤＭＡ(時分割多元接続)方式の無線通信(以下、「同期通信」と呼ぶ。)を行うために必要なタイムスロットを規定する信号であって、その１周期(サイクル)が複数のタイムスロットに分割され、全ての子局TRjにそれぞれ互いに異なるタイムスロットが１つずつ割り当てられる。そして、親局TR1から子局TRjへのメッセージは同期ビーコンに含めて送信され、子局TRjから親局TR1へのメッセージを含む無線信号は、各子局TRjに割り当てられているタイムスロットに格納されて送信される。故に、複数台の火災警報器TR(親局TR1並びに子局TRj)から送信される無線信号の衝突を確実に回避することができる。なお、各火災警報器TRに対するタイムスロットの割当は固定であってもよいが、親局TR1から送信する同期ビーコンによってタイムスロットの割当情報を各子局TRjに通知しても構わない。
【００３０】
図２は火災警報器TRが送受信する無線信号のフレームフォーマットを示しており、同期ビット(プリアンブル：ＰＡ)、フレーム同期パターン(ユニークワード：ＵＷ)、宛先アドレスＤＡ、送信元アドレスＳＡ、メッセージＭ、ＣＲＣ符号で１フレームが構成されている。ここで、宛先アドレスＤＡとして各火災警報器TRの識別符号を設定すれば当該識別符号の火災警報器TRのみが無線信号を受信してメッセージを取得することになるが、宛先アドレスＤＡとして何れの火災警報器TRにも割り当てられていない特殊なビット列(例えば、すべてのビットを１としたビット列)を設定することで無線信号を同報(マルチキャスト)して全ての火災警報器TRにメッセージを取得させることができる。例えば、火災警報メッセージを含む無線信号が親局TR1から全ての子局TRjに同報される。
【００３１】
次に、図３のタイムチャートを参照して、火災感知の前後における本実施形態の送受信動作を説明する。
【００３２】
ここで、各火災警報器TR(親局TR1並びに子局TRj)が動作を開始する(タイマが間欠受信間隔のカウントを開始する)タイミングは通常一致しないので、制御部１が無線送受信部２を起動して電波を受信するタイミング(図３における下向きの矢印参照)も不揃いとなる。これに対して本実施形態では、各火災警報器TR(親局TR1並びに子局TRj)の無線送受信部２で同期信号が受信されると、制御部１がタイマによる間欠受信間隔Txのカウントを中止させる。そして、子局TRjの制御部１は、同期信号の終了時点(t=t0)から一定の待機時間Tw1,Tw2(Tw1≠Tw2)が経過した時点でそれぞれ別のタイマによる間欠受信間隔Tx1,Tx2のカウントを再開させる。したがって、同期信号を受信した後は、各火災警報器TR(子局TRj)においてタイマが間欠受信間隔Tx2のカウントを完了するタイミングが揃うことになる。一方、親局TR1の制御部１は、同期信号の終了時点(t=t0)から一定の待機時間Tw1,Tw2が経過した時点でそれぞれ別のタイマによる間欠受信間隔Tx1,Tx2のカウントを再開させる。その結果、子局TRj同士では間欠受信間隔Tx2のカウントを開始するタイミングが揃うが、親局TR1と子局TRjとでは、間欠受信間隔Tx1,Tx2のカウントを開始するタイミングが異なることになる。なお、同期信号は専用の送信局(図示せず)から送信するようにしてもよいし、後述するように火災警報器TRから送信しても構わない。専用の送信局から同期信号を送信した場合、火災警報器TRから同期信号を送信する場合と比較して火災警報器TRにおける電池の消耗を低減できるという利点がある。
【００３３】
例えば、子局TR2において火災感知部４が火災を感知すると、子局TR2の制御部１は警報部５より警報音を鳴動させるとともに、タイマによる間欠受信間隔Tx2のカウント完了前に無線送受信部２を起動する。そして、タイマによる間欠受信間隔Tx1のカウント完了のタイミングが、タイマによる間欠受信間隔Tx2のカウント完了のタイミングよりも早ければ、子局TR2の制御部１は間欠受信間隔Tx1のカウント完了時点を含む送信期間内に火災警報メッセージを含む無線信号を親局TR1に宛てて送信する。
【００３４】
一方、タイマによる間欠受信間隔Tx1のカウント完了のタイミングが、タイマによる間欠受信間隔Tx2のカウント完了のタイミングよりも遅ければ、子局TR2の制御部１は、先に間欠受信間隔Tx2のカウント完了時点を含む送信期間内に火災警報メッセージを含む無線信号を他の全ての子局TR3,TR4,…に宛てて送信し、後から間欠受信間隔Tx1のカウント完了時点を含む送信期間内に火災警報メッセージを含む無線信号を親局TR1に宛てて送信する。この際、送信元の子局TR2の制御部１は、送信期間内で送信可能なフレーム数だけ無線信号を連続して送信し、送信期間後の休止期間(受信期間)には無線送受信部２を受信状態に切り換える。なお、子局TR2と親局TR1において間欠受信間隔Tx1のカウントが完了するタイミングが揃っているので、親局TR1は１回の送信期間で火災警報メッセージを含む無線信号を受信することができる。
【００３５】
ここで、小電力無線を利用すれば、無線通信距離としては通常の住宅ひとつのエリア内であれば十分カバーできるので、火災元の子局TR2が、他の火災警報器TR(親局TR1及び他の子局TR3,…)に対しメッセージを送信することは通常は十分可能である。しかしながら、上述したように親局TR1は各子局TR2〜TR4に対して定期監視を行っており、親局TR1と各子局TR2〜TR4との間では通信パスの正常性が確認されているが、子局TR2〜TR4間の通信パスは確認されていないため、例えば障害物などの影響によって、ある子局にはメッセージが届いていない可能性もある。
【００３６】
そこで、火災警報メッセージを受信した親局TR1の制御部１は、送信元の子局TR2を除く他の子局TR3,TR4に対して火災警報メッセージを含む無線信号を、タイマによる間欠受信間隔Tx2のカウント完了時点を含む送信期間に送信(中継)する。他の子局TR3,TR4の制御部１では、子局TR2又は親局TR1から送信された火災警報メッセージを受け取ると直ちに警報部５より警報音を鳴動させるとともに無線送受信部２より火災警報メッセージの受信を確認する応答メッセージ(ACK)を無線信号によって返信する。なお、このように少なくとも１台の火災警報器TRで火災が感知されることで全ての火災警報器TRが火災警報を報知(警報音を鳴動)することを、以下では「火災連動」と呼ぶ。
【００３７】
親局TR1の制御部１は、他の全ての子局TR3,TR4からACKを受け取れば、タイムスロットを規定するための同期ビーコンを一定の周期で無線送受信部２から送信させる。なお、本実施形態では先頭のタイムスロットTS1を子局TR2に、２番目のタイムスロットTS2を子局TR3に、３番目のタイムスロットTS3を子局TR4にそれぞれ割り当てている。
【００３８】
ここで、親局TR1は各子局TR2〜TR4に対して定期監視を行っており、親局TR1と各子局TR2〜TR4との間では通信パスの正常性が確認されているが、子局TR2〜TR4間の通信パスは確認されていない。したがって、子局TRjが多数配置された場合、子局TRj間の通信パスの数は非常に多くなる為、子局TRj間の通信パスの正常性の確認を行うと電池消耗が激しくなるので、上述のように特定の火災警報器TR1を親局(中継局)とし、その他の火災警報器TRjを子局(中継される局)として親局TR1から各子局TRjに火災警報メッセージやその他のメッセージ(後述する)を中継することで相互に通信パスが確立できない子局が存在する場合でも確実に火災連動させることができるものである。
【００３９】
また、全ての火災警報器TRが警報音を鳴動することにより連動が開始されると、上述のように親局TR1から一定周期で同期ビーコンが送信されてTDMA方式の同期通信に移行するのであるが、親局TR1の制御部１では、同期ビーコンに含めることで火災警報メッセージを一定周期で全ての子局TRjに繰り返し送信している。そして、各子局TRjの制御部１では、親局TR1から送信される火災警報メッセージを受け取る度に警報部５の状態を確認し、仮に警報部５が停止していたとしたら警報部５に再度警報音を鳴動させる。したがって、全ての火災警報器TRで火災警報が報知され始めてからは特定の火災警報器(親局)TR1が送信する同期ビーコンによって規定される複数のタイムスロットに他の全ての火災警報器(子局)TRjを割り当てて時分割多元接続(TDMA)による無線通信を行うことで衝突を回避することができ、さらに、特定の火災警報器(親局)TR1から他の全ての火災警報器(子局)TRjに対して火災警報メッセージを同期ビーコンに含めて周期的に送信することで確実に火災警報を報知することができる。その結果、無線信号の衝突を回避しつつ複数の火災警報器TRを効果的に連動させることができる。
【００４０】
上述のように本実施形態によれば、火災発生時には全ての火災警報器TRで火災警報が報知されるので、利用者が火災警報を知覚する(警報音を聞く)機会が増えるために安全性を向上することができる。
【００４１】
ところで、本実施形態の火災警報システムは、何れの火災警報器TRにおいても火災が検出されていない状態(待機状態)と、全ての火災警報器TRが警報音を鳴動している状態(連動鳴動状態)と、後述するように火災を検出している(火元の)火災警報器TRのみが警報音を鳴動し、火元以外の火災警報器TRが警報音を停止している状態(連動停止状態)との間で動作状態を遷移させている。すなわち、待機状態において少なくとも何れか１台の火災警報器TR(例えば、子局TR2)で火災が検出されると、上述したように火元の子局TR2並びに親局TR1から他の全ての子局TR3,…に火災警報メッセージが送信されることで親局TR1と子局TRjを含む全ての火災警報器TRで警報音が鳴動されて連動鳴動状態に遷移する。
【００４２】
そして、連動鳴動状態において何れかの火災警報器TRの操作入力受付部６で警報音の鳴動を停止するための操作入力が受け付けられた場合、当該火災警報器TRが親局TR1であれば親局TR1から全ての子局TRjに対して警報音の停止を要求するメッセージ(警報停止メッセージ)を送信することにより、あるいは、当該火災警報器TRが子局TRjであれば当該子局TRjから警報停止メッセージを受け取った親局TR1が他の子局TRjに対して警報停止メッセージを送信することにより、火元以外の火災警報器TRで警報音が停止されて連動停止状態に遷移する。但し、火元の火災警報器TRの操作入力受付部６で警報音停止の操作入力が受け付けられた場合、当該火元の火災警報器TRにおいても警報音を停止する。ここで、親局TR1の制御部１はメモリ部1aに親局TR1並びに各子局TRj毎の火災検出状況を随時更新しながら保持しており、後述するように全ての火災警報器TRで火災が検出されなくなったときに火災連動状態から待機状態に遷移する。
【００４３】
また、連動鳴動状態から連動停止状態に遷移した場合、親局TR1の制御部１では所定の警報音停止時間(例えば、５分間)の限時を開始する。そして、警報音停止時間が経過したのち、親局TR1の制御部１はメモリ部1aに保持している火災検出状況を参照し、全ての火災警報器TRで火災を検出していなければ、同期ビーコンによって復旧通知のメッセージを送信することで火災連動状態から待機状態に遷移し、仮に少なくとも１台の火災警報器TRで火災を検出していれば、同期ビーコンによって火災警報メッセージを送信することで連動停止状態から連動鳴動状態へ遷移させる。なお、連動停止状態において何れかの火災警報器TRが新たに火災を検出した場合にも親局TR1の制御部１が同期ビーコンによって火災警報メッセージを送信することで連動停止状態から連動鳴動状態へ遷移させる。
【００４４】
例えば、図４のタイムチャートに示すように、親局TR1を火元とする火災連動状態(連動鳴動状態)において、火元でない子局TR4の操作入力受付部６で警報音停止の操作入力が受け付けられることで当該子局TR4から警報停止メッセージが送信されると、警報停止メッセージを受け取った親局TR1の制御部１は同期ビーコンによって警報停止メッセージM2を送信しつつ警報音停止時間の限時を行う。但し、火元である親局TR1では警報部５による警報音の鳴動は継続される。そして、警報音停止時間が経過したのち、親局TR1の制御部１は自らの火災感知部４による火災検出状況並びに子局TRjおける火災検出状況を確認し、少なくとも何れか１台の火災警報器TRが火災を検出しているときは再度火災警報メッセージを同期ビーコンにより各子局TRjに送信することで連動停止状態から連動鳴動状態へ遷移させる。
【００４５】
一方、図５のタイムチャートに示すように、警報音停止時間内に火災が鎮火して火災感知部４が火災を検出しなくなっていれば、親局TR1の制御部１は警報音停止時間が経過したのちに同期ビーコンによって各子局TRjに復旧通知メッセージを送信し、全ての子局TRjから返信されるACKを受け取った時点で連動停止状態から待機状態に遷移し、同期ビーコンの送信を停止することでTDMA方式による無線通信から間欠送信・間欠受信による無線通信に戻る。
【００４６】
また、図６のタイムチャートに示すように、子局TR4を火元とする連動鳴動状態において、火元の火災が鎮火して子局TR4の火災感知部４が火災を検出しなくなれば、子局TR4から親局TR1に宛てて復旧通知メッセージが送信される。当該復旧通知メッセージを受け取った親局TR1の制御部１はメモリ部1aに保持している火災検出状況を参照し、全ての火災警報器TRで火災を検出していなければ同期ビーコンによって復旧通知メッセージM3を各子局TRjに送信する。そして、全ての子局TRjから返信されるACKを親局TR1の制御部１が受け取れば、連動停止状態から待機状態に遷移し、同期ビーコンの送信を停止することでTDMA方式による無線通信から間欠送信・間欠受信による無線通信に戻る。
【００４７】
一方、図７のタイムチャートに示すように、新たに別の火災警報器(例えば、子局TR3)で火災が検出された場合、初めの火元である子局TR4から復旧通知メッセージを受け取った親局TR1の制御部１は、メモリ部1aに保持している火災検出状況を参照し、子局TR3が火災検出中であることから復旧通知メッセージを送信せず、引き続き火災警報メッセージを送信することで火災連動状態を維持する。
【００４８】
ここで、同期信号を受信することによって、中継局(親局TR1)以外の全ての無線局(子局TRj)の受信制御手段(制御部１)が受信手段(無線送受信部２)を起動するタイミングが揃い、しかも、イベント(火災感知)が発生した無線局(親局TR1及び子局TRj)の送信制御手段(制御部１)が受信手段の起動するタイミングに合わせて無線信号を送信するので、一の無線局(親局TR1又は子局TRj)から送信される無線信号を他の全ての無線局(子局TRj)がほぼ同時に受信することができる。さらに、中継局(親局TR1)の受信制御手段(制御部１)が受信手段(無線送受信部２)を起動するタイミングを、他の無線局(子局TRj)の受信制御手段(制御部１)が受信手段(無線送受信部２)を起動するタイミングとずらしているので、以下に説明するように、子局TR2から送信される無線信号が親局TR1に中継されて他の子局TR3で受信されるまでの最大遅延時間を従来よりも短くすることができる。
【００４９】
例えば、図８(ａ)に示すように子局TR2において間欠受信の終了直後に火災を感知した場合、当該子局TR2の制御部１は、親局TR1の間欠受信間隔Tx1のカウント完了時点を含む送信期間に火災警報メッセージを含む無線信号を送信する。そして、親局TR1の制御部１は、子局TRjの間欠受信間隔Tx2のカウント完了時点を含む送信期間に火災警報メッセージを含む無線信号を中継(送信)する。その結果、子局TR2で火災が感知されてから全ての無線局で火災警報メッセージを受け取るまでに要する時間を子局TRjの間欠受信間隔Tx2よりも短くすることができる。
【００５０】
また、図８(b)に示すように子局TR2において親局TR1の間欠受信の終了直後に火災を感知した場合、当該子局TR2の制御部１は、子局TRjの間欠受信間隔Tx2のカウント完了時点を含む送信期間に火災警報メッセージを含む無線信号を送信した後、親局TR1の間欠受信間隔Tx1のカウント完了時点を含む送信期間にも火災警報メッセージを含む無線信号を送信する。このとき、子局TR2から送信された無線信号が子局TR4で受信できなかったとしても、親局TR1の制御部１が子局TRjの間欠受信間隔Tx2のカウント完了時点を含む送信期間に火災警報メッセージを含む無線信号を中継(送信)することにより、子局TR4においても火災警報メッセージを受け取ることができる。その結果、子局TR2で火災が感知されてから全ての無線局で火災警報メッセージを受け取るまでに要する時間を、子局TRjの間欠受信間隔Tx2の２倍よりも短くすることができる。
【００５１】
ここで、親局TR1の間欠受信間隔Tx1のカウント完了時点と子局TRjの間欠受信間隔Tx2のカウント完了時点との時間差ΔTx1,ΔTx2は、親局TR1における待機時間Tw1と子局TRjにおける待機時間Tw2との時間差に等しい。そして、この時間差ΔTx1,ΔTx2を、図９に示すように無線信号の送信期間Tyと休止期間Tzの合計期間(=Ty+Tz)よりも短くない時間に設定しておけば(ΔTx1≧Ty+Tz,ΔTx2≧Ty+Tz)、子局TRjから送信された無線信号を親局TR1で中継する場合においても確実に休止期間Tzを確保することができる。
【００５２】
なお、受信制御手段(制御部１)によってカウントが中止させられるまでタイマ手段(制御部１のタイマ)がカウントする間欠受信間隔Tx1,Tx2と、受信制御手段によってカウントが再開させられて後にタイマ手段がカウントする間欠受信間隔Tx1,Tx2とを等しく設定した場合、消費電力を同じとすれば遅延時間をさらに短くできる。一方、受信制御手段によってカウントが中止させられるまでタイマ手段がカウントする間欠受信間隔Tx1,Tx2に対して、受信制御手段によってカウントが再開させられて後にタイマ手段がカウントする間欠受信間隔Tx1,Tx2を長く設定した場合、遅延時間を同じとすれば消費電力をさらに低減できる。
【符号の説明】
【００５３】
TR1  火災警報器(中継を行う無線局)
TR2,TR3  火災警報器（中継を行わない無線局）
１  制御部（送信制御手段，受信制御手段，タイマ手段）
２  無線送受信部（送信手段，受信手段）
７  電池電源部（給電手段）
【図１】
0005541975.tif 000002
【図２】
0005541975.tif 000003
【図３】
0005541975.tif 000004
【図４】
0005541975.tif 000005
【図５】
0005541975.tif 000006
【図６】
0005541975.tif 000007
【図７】
0005541975.tif 000008
【図８】
0005541975.tif 000009
【図９】
0005541975.tif 000010